(57)【特許請求の範囲】
【請求項１】
椅子に座りながら机の上で情報処理装置を用いた音声通話を含む作業をするユーザにより、当該ユーザ以外の他の自然人が周囲に存在し得る状態において用いられるブースであり、前記作業の前後において前記ユーザに持ち運びされるブースであって、
前記ユーザの上半身の前面の全部及び側面の少なくとも一部を覆う囲繞部と、
前記机の作業面に前記囲繞部を設置させるための設置部と、
を備え、
前記囲繞部は、
前記机の作業面を確保するための第１開口部と、
前記ユーザが椅子に座った際に腕を外部に出させるための第２開口部と、
を有し、
前記囲繞部の内部で発する音を吸音又は遮音する第１機能と、
前記ユーザが自在に持ち運び可能にする第２機能と、
を有し、
前記囲繞部は、さらに前記ユーザの上半身の背面の少なくとも一部を覆い、
前記第１機能は、前記囲繞部を構成する内部の複数の面において音の反射を繰り返させて外部に放出させない機能を含み、
前記第１機能は、前記囲繞部の素材を吸音部材にすることで吸音させる機能を含む、
ブース。
【請求項２】
前記第２機能は、複数のパーツを組み合わせることで前記囲繞部を形成させ、当該複数のパーツに分解することで前記ユーザに自在に持ち運びさせる機能を含む、
請求項１に記載のブース。
【発明の詳細な説明】
【技術分野】
【０００１】
本発明は、ブースに関する。
【背景技術】
【０００２】
従来より、オフィス、図書館などの公共スペース等の空間を複数の領域に仕切る技術が存在する（例えば、特許文献１参照）。
【先行技術文献】
【特許文献】
【０００３】
【特許文献１】特開２０１１−１６２９６１号公報
【発明の概要】
【発明が解決しようとする課題】
【０００４】
しかしながら、特許文献１を含む従来の技術では、複数の机の利用者がいる場合において、間仕切りにより他の利用者の視線を遮ることはできるものの、他の利用者の発する音について遮る機能は十分であるとは言えなかった。【０００５】
本発明は、利用者の音声通話に係る利便性を向上させることを目的とする。
【課題を解決するための手段】
【０００６】
上記目的を達成するため、本発明の一態様のブースは、
上半身を少なくとも用いて所定作業をするユーザのうち、前記上半身の前面の全部及び側面の少なくとも一部を覆う囲繞部と、
前記ユーザによる所定作業が行われる場に前記囲繞部を設置させるための設置部と、
を備え、
前記囲繞部の内部で発する音を吸音又は遮音する第１機能と、
前記ユーザが自在に持ち運び可能にする第２機能と、
を有する。
【発明の効果】
【０００７】
本発明によれば、利用者の音声通話に係る利便性を向上させることができる。
【図面の簡単な説明】
【０００８】
【図１】本発明のブースの一実施形態に係るオンラインブースの斜視図である。
【図２】図１のオンラインブースの六面図である。
【図３】図１のオンラインブース１の組立手順を示す図である。
【図４】図１のオンラインブースの内側における当該オンラインブースを利用する利用者の様子の一例を示す図である。
【図５】図１のオンラインブースを利用する利用者が、当該オンラインブースを利用する様子の一例を示す図である。
【図６】図１のオンラインブースを利用する利用者により発せられた音声の漏洩が削減される様子の一例を示す図である。
【図７】図１のオンラインブースの吸音及び遮音の効果を向上させるための構造を示す断面図の一例である。
【図８】図１のオンラインブースを構成するフレームの配置の一例を示す図である。
【図９】図１のオンラインブースと異なる構造等を有る他のオンラインブースの構造等の例を示す図である。
【発明を実施するための形態】
【０００９】
以下、本発明の実施形態について、図面に基づいて説明する。
【００１０】
まず、本実施形態におけるオンラインブースの利用方法と、形状の概要について説明する。
本実施形態におけるオンラインブースは、例えば、コールセンターといった場所において、机上のパーソナルコンピュータ（以下、「ＰＣ」と略記する）を用いながら音声通話を行う者が、利用者として用いられる。即ち、本実施形態におけるオンラインブースは、電話回線やＷｅｂ等を介したオンラインの音声通話を行う利用者に用いられる。
本実施形態におけるオンラインブースは、周囲への音声の漏洩を削減することができる形状を有している。即ち、本実施形態におけるオンラインブースは、コールセンターなどにおいて、利用者の音声通話に係る声が他の利用者のマイクに検出されたりすることを防止すること等により、音声通話に係る利便性を向上させることができる。
【００１１】
詳しくは後述するが、上述のように音声通話に係る利便性を向上させるべく、本実施形態のオンラインブースは、以下のような構造を有する。
本実施形態におけるオンラインブースは、机上に設置されたＰＣと、利用者の頭部や上半身とを囲う（囲繞する）ように、その机上に設置可能な構造を有している。
また、本実施形態におけるオンラインブースは、組立や分解が可能なパーツとして提供される。そこで、本実施形態におけるオンラインブースのパーツは、基本的に平面の形状を有する。このようなパーツにより組み立てられる本実施形態におけるオンラインブースは、開口部を有する多面体構造を有している。
具体的には例えば、本実施形態におけるオンラインブースは、開口部を有する多面体構造であるが、この多面体を構成する面のうち、机上に接する側の面を第１開口部として有している。ただし、本実施形態におけるオンラインブースにおいて、多面体を構成する複数の面のうち、机の天板と垂直な面に対応するパーツ等を個々にみると、机上に接する面を有する。また、本実施形態におけるオンラインブースは、当該オンラインブースを利用している利用者の左右の面のうち当該利用者の腕の近傍に第２開口部を有している。また、本実施形態におけるオンラインブースは、利用者の出入りに用いられる側の面に開閉可能な第３開口部を有している。
【００１２】
上述の形状を前提として、以下の説明では、特に断りのない限り、次のように定義する方向を用いるものとする。
即ち、以下、重力が働く方向と垂直な面（以下、「水平面」と適宜呼ぶ）を、軸Ｘ及び軸ＹからなるＸ−Ｙ平面と呼ぶ。
本実施形態におけるオンラインブースは、Ｘ−Ｙ平面と平行な面（机上）に設置されるものとして説明する。なお、オンラインブースの利用者は、オンラインブースが設置された机上に設置されたＰＣを利用するべく、椅子に着座して利用しているものとして説明する。
ここで、Ｘ−Ｙ平面において、オンラインブースの第３開口部を有する面と平行な方向に三次元直交座標系の軸Ｙが取られるものとする。この場合における、オンラインブース側からみて、利用者が座る側の方向を、「軸Ｙが負の方向」と呼び、この反対方向を、「軸Ｙが正の方向」と呼ぶものとする。即ち、オンラインブースは、利用者の出入りに用いられる第３開口部を、軸Ｙが負の方向に有している。
また、Ｘ−Ｙ平面において、オンラインブースの第３開口部を有する面と垂直な方向に三次元直交座標系の軸Ｘが取られるものとする。この場合における、利用者からみて、右側の向きを、「軸Ｘが正の方向」と呼び、この反対方向を、「軸Ｘが負の方向」と呼ぶものとする。
また、重力が働く方向と逆の方向に軸Ｚ及びその方向をとる。即ち、オンラインブースが設置された水平面（所謂、床面）に対して高さが高くなる方向を、「軸Ｚが正の方向」と呼び、この反対方向を「軸Ｚが負の方向」と呼ぶものとする。即ち、オンラインブースは、机と軸Ｚが負の方向において接しており、軸Ｚが負の方向の面を有さない構造である。
また、Ｘ−Ｙ平面において、本実施形態のオンラインブース１から離れる方向を「外側方向」と呼び、その逆を「内側方向」と適宜呼び、オンラインブース１のうち内側方向の領域を単に「内側」、外側方向の領域を単に「外側」と適宜呼ぶ。
【００１３】
図１は、本発明の一実施形態に係るオンラインブースの斜視図である。
図２は、図１のオンラインブースの六面図である。
図２に示すＡ方向の図は、図１のオンラインブース１の正面図である。図２に示すＡ方向に示されるオンラインブース１は、軸Ｚが正の方向を上に、軸Ｙが負の方向から描かれている。
図２に示すＢ方向の図は、図１のオンラインブース１の背面図である。図２に示すＢ方向に示されるオンラインブース１は、軸Ｚが正の方向を上に、軸Ｙが正の方向から描かれている。
図２に示すＣ方向の図は、図１のオンラインブース１の左側面図である。図２に示すＣ方向に示されるオンラインブース１は、軸Ｚが正の方向を上に、軸Ｘが負の方向から描かれている。
図２に示すＤ方向の図は、図１のオンラインブース１の右側面図である。図２に示すＤ方向に示されるオンラインブース１は、軸Ｚが正の方向を上に、軸Ｘが正の方向から描かれている。
図２に示すＥ方向の図は、図１のオンラインブース１の平面図である。図２に示すＥ方向に示されるオンラインブース１は、軸Ｘが正の方向を上に、軸Ｚが正の方向から描かれている。
図２に示すＦ方向の図は、図１のオンラインブース１の底面図である。図２に示すＦ方向に示されるオンラインブース１は、軸Ｘが正の方向を上に、軸Ｚが負の方向から描かれている。
【００１４】
図１及び図２に示すように、オンラインブース１は、複数に分解可能なパネル２と、パネル２に被せて用いられるカバー３と、を備える。なお、オンラインブース１は、複数のパネル２と、カバー３に組立や分解が可能である。オンラインブース１の組立の方法は、図３を用いて後述する。
なお、以下、図２に示すように、Ｘ−Ｙ平面に垂直なパネル２の内、軸Ｚが正の方向のパネル２であって最も軸Ｙが負の方向に備えられたパネル２を、「天井パネル２Ｔ１」と呼ぶ。
また、以下、図２に示すように、Ｘ−Ｙ平面に垂直なパネル２の内、軸Ｚが正の方向のパネル２であって天井パネル２Ｔ１からみて軸Ｙが正の方向に備えられたパネル２を、「天井パネル２Ｔ２」と呼ぶ。
また、以下、図２に示すように、Ｘ−Ｙ平面に垂直なパネル２の内、軸Ｙが正の方向のパネル２であって天井パネル２Ｔ２からみて軸Ｙが正の方向に備えられたパネル２を、「天井パネル２Ｔ３」と呼ぶ。
また、以下、図２に示すように、Ｘ−Ｙ平面に平行なパネル２の内、軸Ｘが負の方向のパネル２を、「サイドパネル２Ｌ」と呼ぶ。
また、以下、図２に示すように、Ｘ−Ｙ平面に平行なパネル２の内、軸Ｘが正の方向のパネル２を、「サイドパネル２Ｒ」と呼ぶ。
ここで、天井パネル２Ｔ１乃至２Ｔ３及びサイドパネル２Ｌ，２Ｒの夫々を個々に区別する必要が無い場合、これらをまとめて「パネル２」と呼ぶ。
上述したように、図２に示すように、オンラインブース１は、天井パネル２Ｔ１乃至３Ｔ３、及びサイドパネル２Ｌ，２Ｒを組み立て、軸Ｚが正の方向からカバー３をかぶせた構造を有する。
【００１５】
ここで、上述したように、本実施形態では、オンラインブース１は、上半身を用いてＰＣを操作しながら音声通話する作業を行う図示せぬ利用者により利用される。そして、図示せぬ利用者は、パネル２及びカバー３により構成されるオンラインブース１の内部に入ることで、利用者自身の上半身の前面の全部及び側面の少なくとも一部をパネル２及びカバー３に囲われた状態となって利用する。即ち、パネル２及びカバー３は、利用者Ｕを囲う、囲繞部であると言える。
【００１６】
また、上述したように、オンラインブース１は、多面体構造を形成する複数の面としては、机上に接する面を有さない。即ち、図２に示すように、オンラインブース１は、軸Ｚが負の方向の端において、Ｘ−Ｙ平面と平行な面を有さず、第１開口部ＡＰ１を有している。
【００１７】
また、オンラインブース１のサイドパネル２Ｌ，２Ｒは、７角形の形状を有する。具体的には例えば、図２のＣ方向に示すオンラインブース１は、角２Ａ，２Ｂを含む７つの角を有する。ここで、サイドパネル２Ｌの角２Ａは、優角である。即ち、サイドパネル２Ｌの角２Ａは、１８０度より大きな角である。これにより、サイドパネル２Ｌは、第２開口部ＡＰ２を有する。また、サイドパネル２Ｌと同様に、サイドパネル２Ｒは、第２開口部ＡＰ２を有する。
上述したように、オンラインブース１は、上半身を用いてＰＣを操作しながら音声通話する作業を行う図示せぬ利用者により利用されることを想定している。第２開口部ＡＰ２を有することにより、ＰＣを操作しながら利用する利用者に対し、以下のような効果を奏することができる。即ち、オンラインブース１は、第２開口部ＡＰ２を有することで、利用者に与える閉塞感を削減することができる。また、利用者は、第２開口部ＡＰ２に椅子に座った際に腕や肘を外部に出させることで快適な姿勢をとることができる。その結果、利用者は、第２開口部ＡＰ２により、姿勢の維持をすることができる。第２開口部ＡＰ２により、オンラインブース１の内部の空気の循環を促すことができる。即ち例えば、オンラインブースが第２開口部ＡＰ２を有しない構造の場合、オンラインブースは、使用時において軸Ｚが負の方向に第１開口部ＡＰ１としてのみ、開口部を有する。上述したように、第１開口部は大半を机によりふさがれる配置となっている。その場合、第２開口部ＡＰ２を有しないオンラインブースの内部はことでほぼ密閉状態となり、空気の循環が阻害される。換言すれば、本実施形態のオンラインブース１は、第２開口部ＡＰ２を有することにより、完全密封を防ぎ、空気の循環を促し、オンラインブース１の内部の温度や湿度を一定に保つ効果がある。また、第２開口部ＡＰ２は、利用者や購入者に対して審美的な関心を与えることができる。
また、詳しくは後述するが、オンラインブース１は、サイドパネル２Ｌの角２Ｂを利用者が着座する側の机の辺に接するように設置される。
【００１８】
即ち、上述したように、オンラインブース１において、多面体を構成する複数の面のうち、机の天板と垂直な面に対応するパーツ等を個々にみると、机上に接する面を有する。図２のＦ方向に示すように、ハッチングでしめした設置部２Ｉは、パーツであるサイドパネル２Ｌ，２Ｒ及び天井パネル２Ｔ３が有する面であって、机上に接する面である。
【００１９】
また、図４を用いて説明するが、オンラインブース１を構成するカバー３を構成する面のうち軸Ｙが負の方向の面３Ｆは、上述の利用者の出入りに用いられる開閉可能な第３開口部ＡＰ３を閉じるための部分である。
【００２０】
図３は、図１のオンラインブース１の組立手順を示す図である。
【００２１】
図３に示すオンラインブース１の組立手順は、ステップＳＴ１乃至ＳＴ５のからなる。
【００２２】
まず、図３に示すステップＳＴ１において、使用者は、サイドパネル２Ｌに、天井パネル２Ｔ１乃至２Ｔ３を差し込む。
【００２３】
次に、図３に示すステップＳＴ２において、使用者は、ステップＳＴ１において組立てた、サイドパネル２Ｌ及び天井パネル２Ｔ１乃至２Ｔ３サイドパネル２Ｌに、天井パネル２Ｔ１乃至２Ｔ３を差し込む。
【００２４】
次に、図３に示すステップＳＴ３において、使用者は、ステップＳＴ２において組立てた、サイドパネル２Ｌ、及び天井パネル２Ｔ１乃至２Ｔ３サイドパネル２Ｌに、天井パネル２Ｔ１乃至２Ｔ３を差し込む。
【００２５】
次に、図３に示すステップＳＴ４において、使用者は、ステップＳＴ３において組立てた、サイドパネル２Ｌ，２Ｒ、及び天井パネル２Ｔ１乃至２Ｔ３サイドパネル２Ｌを利用する方向（例えば、図１に示す方向）に起こす。
【００２６】
次に、図３に示すステップＳＴ５において、使用者は、ステップＳＴ４において起こした、サイドパネル２Ｌ，２Ｒ、及び天井パネル２Ｔ１乃至２Ｔ３サイドパネル２Ｌにカバー３をかぶせる。
【００２７】
次に、図３に示すステップＳＴ６において、ステップＳＴ５において組立てた、サイドパネル２Ｌ，２Ｒ、及び天井パネル２Ｔ１乃至２Ｔ３サイドパネル２Ｌに被せたカバー３のボタンＢ１，Ｂ２を、サイドパネル２Ｌ，２Ｒに止める。これにより、カバー３は組み立てられたパネル２に固定される。
【００２８】
このように、オンラインブース１のパーツは、基本的に平面の形状を有するパネル２と、カバー３により組立可能に提供される。即ち、オンラインブース１のパーツは、基本的に平面の形状のパーツとして提供されることで、運搬や収納時にかさばらないように設計されている。
即ち、オンラインブース１の組立や分解が可能であることにより、利用者Ｕは、自在に持ち運び可能となる。
【００２９】
図４は、図１のオンラインブースの内側における当該オンラインブースを利用する利用者の様子の一例を示す図である。
なお、オンラインブース１の内側の様子の理解を容易とするため、図４において、パネル２のうちサイドパネル２Ｌは、図示されていない。
図４に示すように、オンラインブース１は、机Ｄの机上、即ち軸Ｚが正の方向に設置されている。
オンラインブース１の利用者Ｕは、オンラインブース１の内側に、オンラインブース１が設置された机Ｄの机上に設置されたＰＣを利用するべく、軸Ｙが正の方向を向いて椅子Ｃに着座する。これにより、利用者Ｕは、自身が発する音声の周囲への漏洩を削減することができる。
なお、利用者Ｕは、オンラインブース１を構成するカバー３を構成する面３Ｆを用いてオンラインブース１の内側及び外側の出入りを行う。利用者Ｕは、音声通話等を行う場合、図４に示すようにカバー３を構成する面３Ｆにより第３開口部を閉じる。このように、オンラインブース１は、カバー３を構成する面３Ｆにより開閉可能な第３開口部を有することにより、利用者Ｕの出入りを容易にしつつ、音声の周囲への漏洩を削減することができる。
【００３０】
図５は、図１のオンラインブースを利用する利用者が、当該オンラインブースを利用する様子の一例を示す図である。
図５のＡ状態に示すように、オンラインブース１は、机Ｄの机上に設置される。また、オンラインブース１は、机Ｄの天板の軸Ｙが負の方向の辺にオンラインブース１の角２Ｂが接するように設置される。
また、図５のＡ状態において、カバー３を構成する面３Ｆは、カバー３の軸Ｚが正の方向に折り畳まれて重ねられている。即ち、利用者Ｕは、カバー３を構成する面３Ｆを、必要に応じて折り畳むことができる。このように、オンラインブース１を構成するカバー３の軸Ｙが負の方向の面３Ｆを必要に応じて折りたたむことにより、オンラインブース１の第３開口部ＡＰ３は、開いた状態となる。第３開口部ＡＰ３が開いた状態となることにより、利用者Ｕは、オンラインブース１の内側に容易に出入りすることができる。
【００３１】
また、図５のＢ状態に示すように、サイドパネル２Ｌは、角２Ａ，２Ｂを含むことにより、第２開口部を有する。即ち、利用者Ｕは、椅子に座った際に腕や肘を外部に出させるために第２開口部ＡＰ２を用いることができる。
【００３２】
図５のＢ状態において、オンラインブース１は、図５のＡ状態と基本的に同様に設置され、利用者Ｕに用いられるが、以下の点で異なる。
図５のＢ状態において、カバー３を構成する面３Ｆは、オンラインブース１からみて軸Ｙが負の方向に広げて展開されている。即ち、図５のＢ状態において、カバー３を構成する面３Ｆは、図５のＡ状態と異なり、カバー３の軸Ｚが正の方向に折り畳まれて重ねられていない。
このように、オンラインブース１を構成するカバー３の軸Ｙが負の方向の面３Ｆを必要に応じて展開させることにより、オンラインブース１の開口部ＡＰ３は、閉じた状態となる。開口部ＡＰ３が閉じた状態となることにより、利用者Ｕは、オンラインブース１の遮音性を向上させることができる。
オンラインブース１を構成するカバー３の軸Ｙが負の方向の面３Ｆを必要に応じて展開させることにより、どのようにオンラインブース１の遮音性が向上されるかについては、図６を用いて説明する。
【００３３】
図６は、図１のオンラインブースを利用する利用者により発せられた音声の漏洩が削減される様子の一例を示す図である。
図６には、机Ｄの机上に設置されたオンラインブース１を利用する利用者Ｕと、利用者により発せられた音声の進む方向を示す矢印ＳＮＤ１乃至ＳＮＤ４が図示されている。
オンラインブース１は、上述したように、多面体構造を有している。具体的には、Ｙ−Ｚ平面上において、オンラインブース１は、図２を用いて説明したように、天井パネル２Ｔ１乃至２Ｔ３、及びカバー３を構成する面３Ｆを有している。
オンラインブース１を利用する利用者Ｕにより発せられた音声の漏洩が削減される様子の一例を、図６に示す天井パネル２Ｔ１乃至２Ｔ３、及びカバー３を構成する面３Ｆを用いて説明する。
【００３４】
図６に示す矢印ＳＮＤ１は、利用者Ｕにより発せられた音声の進む方向を示している。即ち、矢印ＳＮＤ１は、利用者Ｕの口の周辺から、利用者Ｕが利用しているＰＣの方向に向かっている。
図６に示す矢印ＳＮＤ２は、矢印ＳＮＤ１で示される音声のうち天井パネル２Ｔ３やＰＣのディスプレイにより反射された音声の進む方向を示している。即ち、矢印ＳＮＤ２は、天井パネル２Ｔ３から天井パネル２Ｔ２の方向に向かっている。
図６に示す矢印ＳＮＤ３は、矢印ＳＮＤ２で示される音声のうち天井パネル２Ｔ２により反射された音声の進む方向を示している。即ち、矢印ＳＮＤ３は、天井パネル２Ｔ２から天井パネル２Ｔ１の方向に向かっている。
図６に示す矢印ＳＮＤ４は、矢印ＳＮＤ３で示される音声のうち天井パネル２Ｔ１により反射された音声の進む方向を示している。即ち、矢印ＳＮＤ４は、天井パネル２Ｔ１からカバー３を構成する面３Ｆの方向に向かっている。
【００３５】
上述のように、利用者Ｕにより発せられた音声は、矢印ＳＮＤ１乃至ＳＮＤ４の方向に進む。つまり、利用者Ｕにより発せられた音声は、天井パネル２Ｔ１乃至２Ｔ３やカバー３に複数回反射される。
ここで、詳しくは図７を用いて説明するが、天井パネル２Ｔ１乃至２Ｔ３やカバー３は、音声を吸収する吸音材や音声を遮断する遮音材を含んで構成されている。
即ち、オンラインブース１は、利用者Ｕにより発せられた音声が天井パネル２Ｔ１乃至２Ｔ３やカバー３により複数回反射されることにより効率的に遮音材や吸音材に吸収されるように設計されている。
【００３６】
具体的には例えば、本実施形態のオンラインブース１は、Ｙ−Ｚ平面において四角形の形状を有していない。即ち、本実施形態のオンラインブース１は、多面体構造のうち直方体構造や立方体構造ではない。これは、オンラインブース１がＹ−Ｚ平面において四角形の形状ではなく、より多角形の形状を有することにより、利用者Ｕにより発せられた音声がパネル２やカバー３により反射される回数を増加させることを目的としている。即ち、オンラインブース１は、Ｙ−Ｚ平面において、四角形よりも角の多い多角形の形状を有することで、周囲への音声の漏洩を削減することができる。
【００３７】
図７は、図１のオンラインブースの吸音及び遮音の効果を向上させるための構造を示す断面図の一例である。
図７に示すように、オンラインブース１は、素材Ｍ１乃至Ｍ４を含んで構成されている。なお、図７に示すように、オンラインブース１は、素材Ｍ１乃至Ｍ４の他に、四角形の断面を有するフレームＦを含んで構成されている。オンラインブース１を構成するフレームＦの詳細については、図８を用いて説明するが、フレームＦは、素材Ｍ３と他の素材Ｍ３との間に配置されている。
【００３８】
ここで、素材Ｍ１は、吸音材である。素材Ｍ１には、中高音域を幅広く吸音し、余分な反響を抑える事ができ、ポリエステル繊維などで構成されている素材が採用されるのが好適である。このような素材Ｍ１により、パネル２を非常に軽量にすることができる。一例として、素材Ｍ１として、Ａｃｏｕｓｔｉｃ  Ｍｕｔｅ  Ｐａｎｅｌ（登録商標）等が採用される。
【００３９】
また、素材Ｍ２は、吸音材である。素材Ｍ２には、吸音、断熱効果がある素材が採用されるのが好適である。このような素材Ｍ２を空間に詰め込む事により、吸音効果を高める効果がある。一例として、素材Ｍ２として、ニードルフェルトが採用される。
【００４０】
また、素材Ｍ３は、吸音材である。素材Ｍ３には、細やかで立体的な３次元セルにより、低音から高音域まで高い吸音性能と調音性能を保持し、反発性が０に近いため衝撃音などのパワーのある音（低周波の音）を吸音する素材が採用されるのが好適である。また、素材Ｍ３は、自己消火性であって、低発煙の上、燃えても有害物質や有毒ガスなどの発生がしないものが好適である。このような素材Ｍ３は、１ｍ３あたり約２０ｋｇと超軽量であり、質量に頼らない吸音材として提供される。一例として、素材Ｍ３として、カルモフォーム（登録商標）が採用される。
【００４１】
また、素材Ｍ４は、遮音材である。素材Ｍ４には、切り口が空洞状態（中空構造）になっている樹脂素材が採用されるのが好適である。即ち、切口が空洞状態の素材Ｍ４は、中身のつまったプラスチック板（樹脂板）などに比べ非常に軽量であり、オンラインブース１の軽量化に貢献する。具体的には例えば、素材Ｍ４として、プラスチックダンボールが採用される。
また、プラスチックダンボール（プラダン）といった、切口が空洞状態の樹脂素材には、カーボンを練りこんだ導電シートの性質を有するものがある。このような、導電シートの性質をゆうするプラスチックダンボールが採用されることにより、通電する（電位差を生じにくい）ケースを作ることができ、静電気をためずに設置面から逃がすことができる。これにより、静電気によるホコリの吸着や静電気破壊（利用者の静電気に対する感電や電子機器への影響）を防ぐことが可能となる。また、プラスチックダンボールは、一定量の表面硬度を有する。これにより、プラスチックダンボールには、音の反射率があり、更には、空気層を含むので吸音効果がある。なお、吸音効果があることは、断熱効果があるともいうことができる。
【００４２】
上述をまとめると、オンラインブース１は、上述の特徴を有する素材Ｍ１乃至Ｍ４を図７に示すように配置した構造を有している。これにより、オンラインブース１の内側で利用者Ｕにより発せられた音声は、効率的に吸音及び遮音される。即ち、オンラインブース１は、パネル２やカバー３の内側（内部）に囲繞された利用者Ｕが発する音声を吸音及び遮音をすることができる。即ち、オンラインブース１の内側で利用者Ｕにより発せられた音声の周囲への漏洩が削減される。また、オンラインブース１の内部における利用者の快適性の確保や、難燃性による安全性の向上、更には導電性をもたせることも可能である。これにより、利用者の音声通話に係る利便性を向上させることができる。
【００４３】
図８は、図１のオンラインブースを構成するフレームの配置の一例を示す図である。
図８に示すＡ方向の図は、オンラインブース１のフレームＦの配置を示す平面図である。図２に示すＡ方向に示されるオンラインブース１は、軸Ｘが正の方向を上に、軸Ｚが正の方向から描かれている。
図８に示すＢ方向の図は、オンラインブース１のフレームＦの配置を示す斜視図である。図２に示すＢ方向に示されるオンラインブース１は、軸Ｘが負の方向、軸Ｙが負の方向、且つ、軸Ｚが正の方向から描かれている。
図８に示すＣ方向の図は、オンラインブース１のフレームＦの配置を示す左側面図である。図２に示すＣ方向に示されるオンラインブース１は、軸Ｚが正の方向を上に、軸Ｘが負の方向から描かれている。
図８に示すＤ方向の図は、オンラインブース１のフレームＦの配置を示す背面図である。図２に示すＤ方向に示されるオンラインブース１は、軸Ｚが正の方向を上に、軸Ｙが正の方向から描かれている。
【００４４】
図８に示すように、パネル２は、フレームＦを含んで構成されている。また、図７を用いて説明したように、フレームＦは、素材Ｍ３と他の素材Ｍ３との間に配置されている。
【００４５】
以上本発明の一実施形態について説明したが、本発明は、上述の実施形態に限定されるものではなく、本発明の目的を達成できる範囲での、変形、改良等は本発明に含まれるものである。
【００４６】
例えば、オンラインブース１は、上述の説明において、図１乃至図８に示す構造等を有するものとしたが、特にこれに限定されない。即ち、オンラインブース１は、利用者Ｕが発する音声の周囲への漏洩を削減することができる構造等を有すれば足りる。
【００４７】
図９は、図１のオンラインブースと異なる構造等を有る他のオンラインブースの構造等の例を示す図である。
具体的には例えば、オンラインブース１は、図９のＡ形態乃至Ｇ形態に示す構造を有していてもよい。即ち例えば、オンラインブース１は、図６を用いて説明したようにＹ−Ｚ平面において四角形よりも角の多い多角形の形状を有することで、周囲への音声の漏洩を削減することができるが、特にこれに限定されない。具体的には例えば、図６のオンラインブース１のような多角形の形状を有さずに、パネルやカバーが図７や図８を用いて説明した、効率的に吸音や遮音する構造を有することで、周囲への音声の漏洩を削減することができる構造を有するオンラインブースであれば足りる。
【００４８】
以上まとめると、本発明が適用されるオンラインブースは、次のようなものであれば足り、各種各様な実施形態をとることができる。
【００４９】
即ち、本発明が適用されるブース（例えば、図１乃至図８のオンラインブース１）は、
上半身を少なくとも用いて所定作業（例えば、ＰＣを用いつつ音声通話）をするユーザ（例えば、図４乃至図６の利用者Ｕ）のうち、前記上半身の前面（例えば、図６の利用者Ｕの面ＳＵＦ１）の全部及び側面の少なくとも一部（例えば、図６の利用者Ｕの面ＳＵＦ２）を覆う囲繞部（例えば、図１等のオンラインブース１のパネル２やカバー３）と、
前記ユーザによる所定作業が行われる場に前記囲繞部を設置させるための設置部（例えば、図２の設置部２Ｉ）と、
を備え、
前記囲繞部の内部で発する音を吸音又は遮音する第１機能（例えば、パネル２やカバー３の素材により実現される吸音機能や遮音機能）と、
前記ユーザが自在に持ち運び可能にする第２機能（例えば、図３に示す組立や分解が可能となる機能）と、
を有する。
【００５０】
これにより、ユーザの上半身の前面の全部及び側面の少なくとも一部が囲繞される。そして、ユーザがブースの内部で作業を行う際に発する音は、第１機能により、吸音又は遮音される。これにより、例えばユーザが発する音は、近傍の他のユーザに漏洩しにくくなる。即ち、ユーザの音声通話に係る利便性を向上させることができる。
更に言えば、第２機能により、ユーザは、ブースを自在に持ち運び可能となる。その結果、ユーザは任意の場所で音声通話を行うことが可能となるため、ユーザの音声通話に係る利便性を向上させることができる。
【００５１】
さらに、
前記第１機能は、前記囲繞部を構成する内部の複数の面において音の反射を繰り返させて外部に放出させない機能（例えば、図６に示すように複数の天井パネル２Ｔ１乃至２Ｔ３やカバー３において音の反射を繰り返させて外部に放出させない機能）を含み、
前記第１機能は、前記囲繞部の素材を吸音部材（例えば、図７の素材Ｍ１乃至Ｍ４）にすることで吸音させる機能を含む、ことができる。
【００５２】
さらに、
前記第２機能は、複数のパーツ（例えば、天井パネル２Ｔ１乃至２Ｔ３やサイドパネル２Ｌ，２Ｒやカバー３）を組み合わせることで前記囲繞部を形成させ、当該複数のパーツに分解（例えば、図３の組立手順の逆の手順による分解）することで前記ユーザに自在に持ち運びさせる機能を含む、ことができる。
【００５３】
さらに、
前記作業は、前記ユーザが椅子に座りながら机の上で行う作業（例えば、図４乃至図６に示す利用者Ｕが椅子Ｃに座りながら机Ｄの上で行う音声通話の作業）であり、
前記設置部は、前記机の作業面（例えば、図４乃至図６の机Ｄの机上の面）に前記囲繞部を設置させ、
前記囲繞部は、
前記机の作業面を確保するための第１開口部（例えば、図２や図５の第１開口部ＡＰ１）と、
前記ユーザが椅子に座った際に前記腕を外部に出させるための第２開口部（例えば、図２や図５の第２開口部ＡＰ２）と、
を有する、ことができる。
【符号の説明】
【００５４】
１・・・オンラインブース、２・・・パネル、２Ｔ１乃至２Ｔ３・・・天井パネル、
２Ｌ，２Ｒ・・・サイドパネル、２Ｉ・・・設置部、３・・・カバー、ＡＰ１・・・第１開口部、ＡＰ２・・・第２開口部、ＡＰ３・・・第３開口部
【図１】
0006924531.tif 000002
【図２】
0006924531.tif 000003
【図３】
0006924531.tif 000004
【図４】
0006924531.tif 000005
【図５】
0006924531.tif 000006
【図６】
0006924531.tif 000007
【図７】
0006924531.tif 000008
【図８】
0006924531.tif 000009
【図９】
0006924531.tif 000010